(57)【特許請求の範囲】
【請求項１】
モータと、
前記モータにより駆動される出力軸を支持するケースと、
前記ケースの外側に接続されるハウジングと、
前記出力軸に接続された先端工具を照らすライトと、を備えた電動工具において、
前記先端工具に向けて前記出力軸に対して斜めに照射するように、前記ライトを前記ハウジングの側面において前記ハウジングと前記ケースとの間に設けたことを特徴とする電動工具。
【請求項２】
前記ライトの配線を前記ハウジングと前記ケースとの間に配置したことを特徴とする請求項１に記載の電動工具。
【請求項３】
前記ハウジングに前記ライトを収容する凹部を設けたことを特徴とする請求項１又は２に記載の電動工具。
【発明の詳細な説明】
【技術分野】
【０００１】
本発明は、モータと該モータの動力を先端工具に伝達する動力伝達機構をハウジング内に収納して成るアングルドライバ等の電動工具に関するものである。
【背景技術】
【０００２】
電動工具の一形態としての回転打撃工具は、モータを駆動源として回転打撃力を発生して先端工具を回転させつつ、これに打撃力を間欠的に与えてネジ締め等の作業を行うものであるが、反動が小さく締付能力が高い等の特長を有しているため、現在、広く用いられている。このような回転打撃工具には、狭い場所であるために通常のものではネジ締め作業ができない等の問題を解決するために案出されたアングルドライバがある。
【０００３】
上記アングルドライバは、モータとハンマの間、或いはハンマと先端工具の間にベベルギヤを配してトルクの伝達方向を９０°変換させる構造が採用されており、締付トルクを大きくしたい場合にはモータとハンマの間にベベルギヤが配置され、センタハイトを小さくしたい場合にはハンマと先端工具の間にベベルギヤが配置される。
【０００４】
この種のアングルドライバを使用する際に重要となるポイントとしては、センタハイトを小さくする点、締付トルクを大きくする点、暗所での作業が比較的多いことから照明体が必要となる点等が挙げられる。そして、このアングルドライバにおいては、作業中に前端部や後端部を握って作業を行うことができるようレバースイッチが採用されている。
【０００５】
ところで、特許文献１には、モータの取付場所や着脱に影響を与えることなくＬＥＤ等の照明体を配置することができるよう、モータハウジングの側面でスピンドルの突出側（下面）に前端から後方に向かう切欠きを形成し、個の切欠きにライトユニットを嵌着し、個のライトユニットの突起部内にＬＥＤ等の照明体を設ける構成が提案されている。
【先行技術文献】
【特許文献】
【０００６】
【特許文献１】特開２００３−２２５８１５号公報
【発明の概要】
【発明が解決しようとする課題】
【０００７】
しかしながら、特許文献１において提案された構成では、モータハウジングとは別体のライトユニットが必要であるために部品点数が増えるとともに、モータハウジングに切欠きを形成する必要があるという問題がある。又、ＬＥＤ等の照明体が先端工具やタッピンネジ等を直接照明する位置に配置されていなかったため、照明体として光度が高くて照射角度の大きなＬＥＤ等を複数使用する必要があった。
【０００８】
本発明は上記問題に鑑みてなされたもので、その目的とする処は、部品点数の増加等を招くことなく簡単な構成で必要箇所を効率良く照明して暗所での作業を作業性良く行うことができる電動工具を提供することにある。
【課題を解決するための手段】
【０００９】
上記目的を達成するため、本発明は、モータと、前記モータにより駆動される出力軸を支持するケースと、前記ケースの外側に接続されるハウジングと、前記出力軸に接続された先端工具を照らすライトと、を備えた電動工具において、前記先端工具に向けて前記出力軸に対して斜めに照射するように、前記ライトを前記ハウジングの側面において前記ハウジングと前記ケースとの間に設けたことを特徴とする。
【００１２】
また、該ハウジングに接続され出力軸を支持するケースを備え、前記ライトの配線を前記ハウジングと前記ケースとの間に配置したことを特徴とする。
【発明の効果】
【００１３】
本発明によれば、該ライトをハウジングに取り付けるための特別な部品を別途要することがなく、又、ハウジングに特別な加工を施す必要もなく、部品点数の増加を招くことなく簡単な構成でライトをハウジングの側面に取り付けることができる。
【図面の簡単な説明】
【００１４】
【図１】本発明に係るアングルドライバの側断面図である。
【図２】本発明に係るアングルドライバ先端部の側面図である。
【図３】本発明に係るアングルドライバの底面図である。
【図４】本発明に係るアングルドライバにおけるＬＥＤライトの固定構造を示すモー    タハウジングの部分内面図である。
【図５】(ａ)はブッシュの正面図、（ｂ）は同ブッシュの側面図である。
【図６】本発明に係るアングルドライバにおけるＬＥＤライトの配線とブッシュとの    関係を示す部分斜視図である。
【発明を実施するための形態】
【００１５】
以下に本発明の実施の形態を添付図面に基づいて説明する。
【００１６】
図１は本発明に係る電動工具の一形態としてのアングルドライバの側断面図、図２は同アングルドライバ先端部の側面図、図３は同アングルドライバの底面図、図４はＬＥＤライトの固定構造を示すモータハウジングの部分内面図、図５（ａ）はブッシュの正面図、同図（ｂ）は同ブッシュの側面図、図６はＬＥＤライトの配線とブッシュとの関係を示す部分斜視図である。
【００１７】
本実施の形態に係るアングルドライバ１は、バッテリ２を電源とし、モータ３を駆動源とするコードレスの手持ち式電動工具であって、モータ３によって回転打撃機構部を駆動し、アンビル４に回転と打撃を与えることによって先端工具（ビット）５に回転打撃力を間欠的に伝達してネジ締め等の作業を行うものである。
【００１８】
具体的には、図１に示すように、アングルドライバ１の円筒状の細長いハウジング６の一端にはスライド式の前記バッテリ２が装着されており、ハウジング６内には前記モータ３が収容され、このモータ３の前方（図１の上方を前方とする）には回転打撃機構部が収容されている。尚、ハウジング６は樹脂製であって、図３に示すように左右２分割構造に構成されており、その先端内部には、側面視横Ｌ字状（アングル状）を成す金属製のハンマケース７の一部が嵌め込まれて接続されている。
【００１９】
上記回転打撃機構部において、モータ３の出力軸（モータ軸）の回転は、遊星歯車機構８を経て減速されてスピンドル９に伝達され、該スピンドル９が所定の速度で回転駆動される。ここで、スピンドル９とハンマ１０とはカム機構によって連結されており、このカム機構は、スピンドル９の外周面に形成されたＶ字状のスピンドルカム溝９ａと、ハンマ１０の内周面に形成されたＶ字状のハンマカム溝１０ａ及びこれらのカム溝９ａ，１０ａに係合するボール１１で構成されている。
【００２０】
又、ハンマ１０は、スプリング１２によって常に先端方向（図１の上方）に付勢されており、静止時にはボール１１とカム溝９ａ，１０ａとの係合によってアンビル４の端面から離間した位置にあって、両者の間には微小隙間が形成されている。そして、図示しないが、ハンマ１０とアンビル４の相対向する回転平面上の２箇所には、選択的に係合する凸部がそれぞれ対称的に形成されている。
【００２１】
上記アンビル４の軸中心部には、２つの軸受１３によって回転可能に支持された中間軸１４の一端（後端）がスプライン嵌合されており、該中間軸１４の他端（先端）にはベベルギヤ１５が一体に形成されている。
【００２２】
又、前記ハンマケース７の先端は下方に直角に曲げられており、その部分には出力軸１６が前記中間軸１４に対して直角（垂直）に配されている。この出力軸１６は、その軸方向の２点が軸受１７，１８によって回転可能に支持されており、その中間部にはベベルギヤ１９が一体に形成され、このベベルギヤ１９は中間軸１４の前記ベベルギヤ１５に噛合している。そして、この出力軸１６には前記先端工具（ビット）５が着脱可能に装着されている。
【００２３】
他方、ハウジング６内の前記モータ３の後方には、バッテリ２からモータ３への給電をＯＮ／ＯＦＦするためのレバースイッチ２０が収容されており、このレバースイッチ２０の作動子２０ａはハウジング６の底部を貫通して下方に突出している。この操作子２０ａがレバー２１によって押されることによってレバースイッチ２０がＯＮしてバッテリ２からモータ３に給電がなされるが、レバー２１は、ハウジング６の下方に配され、その一端はロールピン２２によってハウジング６に上下に回動可能に枢着されている。
【００２４】
又、本実施の形態では、ハウジング６の後端部に一体に形成されたバッテリ装着部の内部のバッテリターミナル２３の横であって、バッテリ２とレバー２１との間には基板２４が直列に配置されている。
【００２５】
而して、本実施の形態では、ハウジング６の一側面前端部には、図２及び図３に示すように凹部６ａが形成されており、この凹部にはＬＥＤライト２５が配置されている。ここで、ＬＥＤライト２５は、図２に示すように、その中心軸（照射方向）Ｌが先端工具５に向く方向に配置されており、以下に説明する固定構造によってハウジング６の側面に固定されている。
【００２６】
即ち、ＬＥＤライト２５の固定には、図５に示す樹脂製のブッシュ２５が使用される。ここで、ブッシュ２６は略円柱状の部品であって、これには矩形溝上の凹部２６ａが軸方向に貫設されている。
【００２７】
又、図４及び図６に示すように、ＬＥＤライト２５から延びる２本の配線２７は、ハウジング６の側面に形成された不図示の孔を通ってハウジング６の内部に導入されており、ハウジング６のＬＥＤライト２５が取り付けられる側の半割れの内面に沿って延び、その端部は前記レバースイッチ２０を介して前記バッテリ２に接続されている。
【００２８】
而して、ＬＥＤライト２５は、当該アングルドライバ１の組立時に組み付けられるが、このとき、図６に示すように、該ＬＥＤライト２５から延びる２本の配線２７をブッシュ２６の凹部２６ａに通し、該ブッシュ２６をハンマケース７とハウジング６とで挟み込むことによってＬＥＤライト２５がハウジング６の側面に固定される。
【００２９】
ところで、図１に示すように、ハウジング６のバッテリ装着部のレバー２１に対向する面には操作パネル２８が設けられており、この操作パネル２８は、前記基板２４によって動作してバッテリ２の残量を表示したり、ＬＥＤライト２５の点灯／消灯を表示する。
【００３０】
以上のように構成されたアングルドライバ１を用いてネジ締め作業を行うには、ハウジング６を把持してレバー２１を引く。すると、レバー２１がロールピン２２を中心として図１の破線位置まで回動してレバースイッチ２０の作動子２０ａを押圧するため、レバースイッチ２０がＯＮしてバッテリ２からモータ３に給電され、該モータ３が起動される。
【００３１】
上述のようにモータ３が起動されると、その出力軸（モータ軸）の回転は遊星歯車機構８によって減速されてスピンドル９に伝達され、該スピンドル９が所定の速度で回転駆動される。このようにスピンドル９が回転駆動されると、その回転は前記カム機構を介してハンマ１０に伝達され、このハンマ１０が半回転しないうちに該ハンマ１０の凸部がアンビル４の凸部に係合して該アンビル４を回転させるが、そのときの係合反力によってハンマ１０とスピンドル９との間に相対回転が生ずると、ハンマ１０は、カム機構のスピンドルカム溝９ａに沿ってスプリング１２を圧縮しながらモータ３側へと後退を始める。
【００３２】
そして、ハンマ１０の後退動によって該ハンマ１０の凸部がアンビル４の凸部を乗り越えて両凸部の係合が解除されると、ハンマ１０は、スピンドル９の回転力に加えて、スプリング１２に蓄積された弾性エネルギーとカム機構の作用によって回転方向及び前方に急速に加速されつつ、スプリング１２の付勢力によって前方へと移動し、その凸部がアンビル４の凸部に再び係合して一体に回転し始める。このとき、強力な回転打撃力がアンビル４に加えられ、この回転打撃力は中間軸１４と出力軸１６を経て先端工具５に伝達され、該先端工具５から不図示のネジへと回転打撃力が伝達される。尚、中間軸１４の回転はベベルギヤ１５，１９によって９０°変換されて出力軸１６に伝達されるため、該出力軸１６とこれに装着された先端工具５が略垂直状態を保って回転駆動される。
【００３３】
而して、以上と同様の動作が繰り返されて先端工具５からネジに回転打撃力が間欠的に繰り返し伝達され、該ネジが締結対象である木材等にネジ込まれる。
【００３４】
以上において、本実施の形態では、ハウジング６の側面にＬＥＤライト２５を配置したため、該ＬＥＤライト２５をハウジング６に取り付けるための特別な部品を別途要することがなく、又、ハウジング６に特別な加工を施す必要もなく、部品点数の増加を招くことなく簡単な構成でＬＥＤライト２５をハウジング６の側面に取り付けることができる。
【００３５】
又、ＬＥＤライト２５をその中心軸が先端工具５に向く方向に配置したため、先端工具５近傍の加工位置を効率良く照明することができ、暗所での作業を作業性良く行うことができる。
【００３６】
更に、本実施の形態では、ＬＥＤライト２５の配線２７をブッシュ２６の凹部２６ａに通し、該ブッシュ２６をハウジング６とハンマケース７間に挟み込むことによってＬＥＤライト２５をハウジング６の側面に簡単且つ確実に固定することができる。
【００３７】
尚、以上は本発明を特にアングルドライバに適用した形態について説明したが、本発明は、他の任意の電動工具に対しても同様に適用可能であることは勿論である。
【符号の説明】
【００３８】
１          アングルドライバ（電動工具）
２          バッテリ
３          モータ
４          アンビル
５          先端工具
６          ハウジング
６ａ        ハウジングの凹部
７          ハンマケース（ケース）
８          遊星歯車機構
９          スピンドル
９ａ        スピンドルカム溝
１０        ハンマ
１０ａ      ハンマカム溝
１１        ボール
１２        スプリング
１３        軸受
１４        中間軸
１５        ベベルギヤ
１６        出力軸
１７，１８  軸受
１９        ベベルギヤ
２０        レバースイッチ
２０ａ      レバースイッチの操作子
２１        レバー
２２        ロールピン
２３        バッテリターミナル
２４        基板
２５        ＬＥＤライト
２６        ブッシュ
２６ａ      ブッシュの凹部
２７        配線
２８        操作パネル
Ｌ          ＬＥＤライトの中心軸
【図１】
0005472411.tif 000002
【図２】
0005472411.tif 000003
【図３】
0005472411.tif 000004
【図４】
0005472411.tif 000005
【図５】
0005472411.tif 000006
【図６】
0005472411.tif 000007